(57)【要約】【課題】  ＨＤＭＩ接続から外された機器についてアドレスリストから削除しつつ、１台で複数の機能登録がされるような多機能機器を考慮したアドレスリストの更新をすることができるようにする。【解決手段】  メモリは、ＨＤＭＩ−ＣＥＣ対応機器のアドレスを管理するための、少なくとも物理アドレスおよび論理アドレスを有するアドレスリストを記憶する。受信手段は、ＨＤＭＩ−ＣＥＣ対応機器を接続したときに、ＣＥＣ対応機器から取得した論理アドレスと物理アドレスの通知を受ける。既に前記アドレスリストに登録済みの物理アドレスの通知を前記受信手段が新たに受けたとき、既に前記アドレスリストに登録済みの物理アドレスに対応する論理アドレスに再度問い合わせを行い、既に前記アドレスリストに登録済みの物理アドレスのＨＤＭＩ−ＣＥＣ対応機器から返事があった場合に新たにアドレスリストに追加し、無かった場合にアドレスリストから削除する。【選択図】      図７
2009077045.tif 000002
【特許請求の範囲】
【請求項１】
ＨＤＭＩ（High-Definition Multimedia Interface）−ＣＥＣ（Consumer Electronics Control）対応機器のアドレスを管理するための、少なくとも物理アドレスおよび論理アドレスを有するアドレスリストを記憶するメモリと、
ＨＤＭＩ−ＣＥＣ対応機器を接続したときに、ＣＥＣ対応機器から取得した論理アドレスと物理アドレスの通知を受ける受信手段と、
既に前記アドレスリストに登録済みの物理アドレスの通知を前記受信手段が新たに受けたとき、既に前記アドレスリストに登録済みの物理アドレスに対応する論理アドレスに再度問い合わせを行う問合せ手段と、
この問合せ手段の問合せに対して、既に前記アドレスリストに登録済みの物理アドレスのＨＤＭＩ−ＣＥＣ対応機器から返事があった場合に、前記受信手段が新たに受けたＨＤＭＩ−ＣＥＣ対応機器に関する情報を新たに前記アドレスリストに追加し、既に前記アドレスリストに登録済みの物理アドレスのＨＤＭＩ−ＣＥＣ対応機器から返事が無かった場合に、前記返事が無かったＨＤＭＩ−ＣＥＣ対応機器に関する情報を前記アドレスリストから削除するアドレスリスト更新手段と、
前記アドレスリスト更新手段により更新が行われたアドレスリストを前記メモリへ書き込むアドレスリスト書込手段とを備えたことを特徴とするアドレスリスト更新装置。
【請求項２】
前記アドレスリストを用いて前記ＨＤＭＩ−ＣＥＣ対応機器を選択するための選択画面を生成する機器選択画面生成手段を備えたことを特徴とする請求項１記載のアドレスリスト更新装置。
【請求項３】
前記アドレスリストで物理アドレスの同じものが複数存在していたときに、この物理アドレスが同じＨＤＭＩ−ＣＥＣ対応機器を１つの機器とした、ＨＤＭＩ−ＣＥＣ対応機器を選択するための選択画面を生成する機器選択画面生成手段を備えたことを特徴とする請求項１記載のアドレスリスト更新装置。
【請求項４】
前記アドレスリストにはデバイスタイプおよび機器名のデータも含まれており、
前記アドレスリストで物理アドレスの同じものが複数存在していたときに、この複数の中で所望のデバイスタイプの種類のものを優先して機器名とし、前記ＨＤＭＩ−ＣＥＣ対応機器を選択するための選択画面を生成する機器選択画面生成手段を備えたことを特徴とする請求項２または３記載のアドレスリスト更新装置。
【請求項５】
前記アドレスリストにはデバイスタイプのデータも含まれており、
前記アドレスリスト中の物理アドレスが同じＨＤＭＩ−ＣＥＣ対応機器が複数存在していたときに、この複数の中で所望のデバイスタイプの種類のＨＤＭＩ−ＣＥＣ対応機器へ優先して探し、最初に見付かったデバイスタイプの種類のＨＤＭＩ−ＣＥＣ対応機器の論理アドレスに対して<User Control Pressed>または<User Control Released>コマンドを１度だけ送信することを特徴とする請求項１乃至４のいずれか１項記載のアドレスリスト更新装置。
【請求項６】
前記機器選択画面生成手段により生成された選択画面を表示する表示手段を備えたことを特徴とする請求項２乃至５のいずれか１項記載のアドレスリスト更新装置。
【請求項７】
ＨＤＭＩ（High-Definition Multimedia Interface）−ＣＥＣ（Consumer Electronics Control）対応機器のアドレスを管理するための、少なくとも物理アドレスおよび論理アドレスを有するアドレスリストをメモリに記憶し、
ＨＤＭＩ−ＣＥＣ対応機器を接続したときに、ＣＥＣ対応機器から取得した論理アドレスと物理アドレスの通知を受信し、
問合せ手段により、既に前記アドレスリストに登録済みの物理アドレスの通知を前記受信手段が新たに受けたとき、既に前記アドレスリストに登録済みの物理アドレスに対応する論理アドレスに再度問い合わせを行い、
前記問合せ手段の問合せに対して、既に前記アドレスリストに登録済みの物理アドレスのＨＤＭＩ−ＣＥＣ対応機器から返事があった場合に、前記受信手段が新たに受けたＨＤＭＩ−ＣＥＣ対応機器に関する情報を新たに前記アドレスリストに追加し、既に前記アドレスリストに登録済みの物理アドレスのＨＤＭＩ−ＣＥＣ対応機器から返事が無かった場合に、前記返事が無かったＨＤＭＩ−ＣＥＣ対応機器に関する情報を前記アドレスリストから削除することでアドレスリストを更新し、
この更新が行われたアドレスリストを前記メモリへ書き込むことを特徴とするアドレスリスト更新方法。
【発明の詳細な説明】
【技術分野】
【０００１】
この発明は、アドレスリスト更新装置に関し、特にＨＤＭＩ等で多機能機器が接続されるアドレスリスト更新装置に関する。
【背景技術】
【０００２】
従来、ＨＤＭＩの規格に対応した機器が知られている（例えば、特許文献１参照）。
【特許文献１】特開２００７−１５８９０３号公報
【発明の開示】
【発明が解決しようとする課題】
【０００３】
従来のＨＤＭＩの規格に対応した機器のアドレスリスト更新においては、１台で複数の機能登録がされるような多機能機器を考慮した、ＨＤＭＩ対応機器が抜かれたことによるアドレスリストの更新ができないという問題があった。
【０００４】
本発明では、ＨＤＭＩ接続から外された機器についてアドレスリストから削除しつつ、１台で複数の機能登録がされるような多機能機器を考慮したアドレスリストの更新をすることを目的とする。
【課題を解決するための手段】
【０００５】
上記の目的を達成するために、この発明においては、ＨＤＭＩ（High-Definition Multimedia Interface）−ＣＥＣ（Consumer Electronics Control）対応機器のアドレスを管理するための、少なくとも物理アドレスおよび論理アドレスを有するアドレスリストを記憶するメモリと、ＨＤＭＩ−ＣＥＣ対応機器を接続したときに、ＣＥＣ対応機器から取得した論理アドレスと物理アドレスの通知を受ける受信手段と、既に前記アドレスリストに登録済みの物理アドレスの通知を前記受信手段が新たに受けたとき、既に前記アドレスリストに登録済みの物理アドレスに対応する論理アドレスに再度問い合わせを行う問合せ手段と、この問合せ手段の問合せに対して、既に前記アドレスリストに登録済みの物理アドレスのＨＤＭＩ−ＣＥＣ対応機器から返事があった場合に、前記受信手段が新たに受けたＨＤＭＩ−ＣＥＣ対応機器に関する情報を新たに前記アドレスリストに追加し、既に前記アドレスリストに登録済みの物理アドレスのＨＤＭＩ−ＣＥＣ対応機器から返事が無かった場合に、前記返事が無かったＨＤＭＩ−ＣＥＣ対応機器に関する情報を前記アドレスリストから削除するアドレスリスト更新手段と、前記アドレスリスト更新手段により更新が行われたアドレスリストを前記メモリへ書き込むアドレスリスト書込手段とを備えたことを特徴とするアドレスリスト更新装置を提供する。
【０００６】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００７】
この発明によれば、ＨＤＭＩ接続から外された機器についてアドレスリストから削除しつつ、１台で複数の機能登録がされるような多機能機器を考慮したアドレスリストの更新をすることができる。
【発明を実施するための最良の形態】
【０００８】
以下、図面を参照しながら本発明の実施形態について説明する。
（第１の実施形態）
図１は、ＨＤＭＩ−ＣＥＣ機能を搭載するテレビジョン受信装置１００のシステムを概略的に示したブロック図である。
図１において、アンテナ１０１は、テレビジョン放送信号を受信する。チューナー１０２は、アンテナ１０１によって受信されたテレビジョン放送信号から所望のチャンネルを選局し復調する。信号処理部１０３は、チューナー１０２により復調されたテレビジョン信号から、映像信号，音声信号およびその他の信号とに分離する。なお、信号処理部１０３は、放送がデジタル放送である場合には、復調されたトランスポートストリーム（ＴＳ）中に複数の番組が多重されているので、複数の番組からユーザーの所望する番組のみを選択する。
【０００９】
映像処理部１０４は、信号処理無１０３から入力された映像信号に対して適切な画角や色に調整して出力する。表示処理部１０５は、ディスプレイ表示部１０６固有の信号に変換した後、ディスプレイ表示部１０６へ出力する。ディスプレイ表示部１０６は、表示処理部１０５から入力された映像信号を画面表示する。
【００１０】
以上のようにして所望の番組がディスプレイ表示部１０６に表示される。
また、設定メニューといった直接映像入力信号でない画像（グラフィカルユーザーインターフェイス、以下ＧＵＩ）も表示処理部１０５等で作成され、映像信号に重畳されてディスプレイ表示部１０６に表示される。
【００１１】
チューナー１０２、信号処理部１０３、映像処理部１０４、表示処理部１０５のブロックは、互いに通信ライン１０７を経由してＣＰＵ１０８と接続されており、先に説明した各ブロックにおける信号処理はＣＰＵ１０８によって制御される。
【００１２】
通信ライン１０７は、ＩＩＣ−ＢＵＳ（Inter-Integrated-Circuit bus）や、ＵＡＲＴ（Universal Asynchronous Receiver Transmitter）等さまざまな接続形態が考えられるが本発明はこれらに限定されるものではない。
【００１３】
また、ＣＰＵ１０８は１つとは限らず、複数用いる場合もある。
更に、ＣＰＵ１０８には、演算用など一時的なデータを記録するＲＡＭ（Random Access Memory）１０９、不揮発にデータを記録するＲＯＭ（Read Only Memory）１１０、キーボード１１１、リモコン１１２からの赤外線信号を受信する赤外線受光部１１３等と接続されている。
【００１４】
ＨＤＭＩケーブル１１４は、信号ライン１１４ａとＣＥＣ制御ライン１１４ｂとから構成されている。
映像信号，音声信号，制御信号が信号処理部１０３へ入力される信号・制御ライン１１４ａを介してＨＤＭＩ受信部１１５に入力される。
また、ＨＤＭＩ機器の様々な情報を通信したり、お互いを制御する命令を通信するためのＣＥＣ制御ライン１１４ｂがＣＰＵ１０８に接続されている。
（接続例）
図２は、図１を用いて説明したテレビジョン受信装置１００のシステムに、ＨＤＭＩケーブルを使って周辺機器を接続したときの接続例で、概略的に示した図である。
【００１５】
テレビジョン受信装置１００は、周辺機器であるＡＶアンプ２００にＨＤＭＩケーブルを使って接続される。更にＡＶアンプ２００は、セット・トップ・ボックス（ＳＴＢ）２０１およびＤＶＤプレイヤー２０２にＨＤＭＩケーブルを使って接続される。
【００１６】
ＨＤＭＩケーブル１１４の中にはＣＥＣ制御ライン１１４ｂがあり、このＣＥＣ制御ライン１１４ｂは各ＨＤＭＩ機器内にあるＣＰＵに接続されており制御可能となっている。またＨＤＭＩケーブル１１４のＣＥＣ制御ライン１１４ｂでは、機器間の通信は全ての機器に伝わるように接続されている。
【００１７】
また、テレビジョン受信装置１００、ＳＴＢ２０１にはそれぞれ同じあるいは異なる種類のアンテナが接続されている。図２に示した例ではテレビジョン受信装置１００には地上波アンテナ，ＳＴＢ２０１には衛星系のアンテナが接続されている。
【００１８】
（多機能機器を検出する方法）
図３は、上記図１を用いて説明したテレビジョン受信装置１００のシステムおよび図２を用いて説明した周辺機器の接続例をもとに、ＨＤＭＩ−ＣＥＣ機能を搭載したＨＤＭＩ機器（以下、ＣＥＣ機器と記す）で多機能機器を検出する方法を示したフローチャートである。
【００１９】
（前提条件）
例として、まず最初にテレビジョン受信装置１００の電源が投入され起動し、ＣＥＣ制御ラインを使った通信が可能な状態とする。
更に、ＨＤＭＩ−ＣＥＣの規格として、接続機器は図４に示す論理アドレスが割り当てられているのであるが、テレビジョン受信装置１００としては既に論理アドレス０番を取得済みな状態とする。なお、論理アドレス１５番はＣＥＣ機器としての通信を能動的に行えない不特定多数の番号である。
【００２０】
更に、図２の周辺機器の接続例の場合、上記ＲＡＭ１０９あるいはＲＯＭ１１０のアドレスリストに既に図５に示す周辺機器の情報を示す管理データテーブルが登録されている。
【００２１】
以下、この状態で更に図６に示す通りテレビジョン受信装置１００にＣＥＣ機能を多数搭載した多機能ＨＤＤレコーダー６０１を接続する例について、図３の動作について説明する。この多機能ＨＤＤレコーダー６０１は、（１）録画機器としての機能、（２）チューナーとしての機能、（３）再生機器としての機能、という３つの機能を有している。
【００２２】
（１．録画機器としての機能）
図２の接続状態から図６に示すように多機能ＨＤＤレコーダー６０１を接続すると、多機能ＨＤＤレコーダー６０１が録画機器としての機能を搭載するため論理アドレス１を取得し、ＨＤＭＩ規格  Ｖｅｒ．１．２で定める<Report Physical Address>というコマンドを使って、物理アドレス情報を通知してくる（ステップＳ３０１）。
【００２３】
テレビジョン受信装置１００は、多機能ＨＤＤレコーダー６０１からこの<Report Physical Address>コマンドを受信したら、通知された物理アドレス［２．０．０．０］がアドレスリストに登録された機器の中に既に存在しているかチェックする（ステップＳ３０２）。
【００２４】
もし存在していない場合には、純粋に新規で登録すればよいので、多機能ＨＤＤレコーダー６０１から通知のあった物理アドレスおよびデバイスタイプ、更にはデバイス名が取得できている場合にはデバイス名を論理アドレス１として登録し（ステップＳ３０３）、続けて新しいデバイス番号として未使用の４を論理アドレス１として登録する（ステップＳ３０４）。
【００２５】
ここでは、論理アドレス１として、図７に示すように登録されたものとする。
（２．チューナーとしての機能）
次に、多機能ＨＤＤレコーダー６０１がチューナーとしての機能を搭載するため論理アドレス６を取得し、<Report Physical Address>というコマンドを使って、物理アドレス情報を通知してくる（ステップＳ３０１）。テレビジョン受信装置１００は、この<Report Physical Address>コマンドを受信したら、通知された物理アドレス［２．０．０．０］がアドレスリストに登録された機器の中に既に存在しているかチェックする（ステップＳ３０２）。
【００２６】
上記で既に論理アドレス１として物理アドレス［２．０．０．０］はアドレスリストに登録されているので、この論理アドレスがまだ有効であるかを問い合わせする。問い合わせの方法には、<Give Physical Address>というコマンドあるいは<Polling>というコマンドを使って、ポーリングする（ステップＳ３０５）。このポーリングに対する応答があったかを確認するのであるが（ステップＳ３０６）、この判定のためにはステップＳ３０５のポーリングを５回繰り返す等も含む。
【００２７】
もし、応答があった場合には、まだ論理アドレス１が有効であるため、この多機能ＨＤＤレコーダー６０１が多機能ＣＥＣ機器であると判定し、物理アドレスおよびデバイスタイプ、更にはデバイス名が取得できている場合にはデバイス名を論理アドレス６として登録し（ステップＳ３０７）、続けてデバイス番号として論理アドレス１と同じ４を論理アドレス６として登録する（ステップＳ３０８）。
【００２８】
ここでは、論理アドレス３として、図７に示すように登録されたものとする。
（３．再生機器としての機能）
次も上記と同様に、多機能ＨＤＤレコーダー６０１が再生機器としての機能を搭載するため論理アドレス８を取得し、<Report Physical Address>というコマンドを使って、物理アドレス情報を通知してくる（ステップＳ３０１）。テレビジョン受信装置１００は、この<Report Physical Address>コマンドを受信したら、通知された物理アドレス［２．０．０．０］がアドレスリストに登録された機器の中に既に存在しているかチェックする（ステップＳ３０２）。
【００２９】
上記で既に論理アドレス１および６として物理アドレス［２．０．０．０］はアドレスリストに登録されているので、この論理アドレスがまだ有効であるかを問い合わせする。問い合わせの方法には、<Give Physical Address>というコマンドあるいは<Polling>というコマンドを使って、ポーリングする（ステップＳ３０５）。その応答があったかを確認するのであるが（ステップＳ３０６）、その判定のためにはステップＳ３０５のポーリングを５回繰り返す等も含む。
【００３０】
もし、応答があった場合には、まだ論理アドレス１が有効であるため、この多機能ＨＤＤレコーダー６０１が多機能ＣＥＣ機器であると判定し、物理アドレスおよびデバイスタイプ、更にはデバイス名が取得できている場合にはデバイス名を論理アドレス８として登録し（ステップＳ３０７）、続けてデバイス番号として論理アドレス１と同じ４を論理アドレス８として登録する（ステップＳ３０８）。
【００３１】
ここでは、論理アドレス８として、図７に示すように登録されたものとする。
なお、ＨＤＭＩ−ＣＥＣの規格上は図７の説明のように、デバイスタイプの３つの機能に対して同じ“Recording Type”を用いても、それぞれ”Recording Device” “Tuner” “Playback Device”と割り当てても、どちらでも問題ない。この実施形態では、前者を例として説明する。
【００３２】
このようにして、アドレスリストは図７に示す通り登録され、同じ物理アドレス［２．０．０．０］でデバイス番号を４としてグルーピングし、複数の論理アドレス（ここでは論理アドレス１，３，８）を同一の機器であると認識できるようになる。
【００３３】
以上説明したとおり、本発明によれば、ＨＤＭＩ接続から外された機器についてアドレスリストから削除しつつ、１台で複数の機能登録がされるような多機能機器を考慮したアドレスリストの更新をすることができる。
【００３４】
実施形態中では、ステップＳ３０５によるポーリングに対する応答があったかを確認し、ＨＤＭＩ接続から外された機器について削除することにより、ＨＤＭＩ接続から外された機器をいち早く認識して削除することができる。
【００３５】
（第２の実施形態）
第２の実施形態のシステムは上記第１の実施形態で説明した説明文および図１および図７と共通であるとし、説明を省略する。
また、第１の実施形態で説明した図３は、ＣＥＣ機器で多機能機器を検出する方法を示したフローチャートであると共に、多機能機器でなかった場合に前回の登録情報を削除する方法を示したフローチャートである。
【００３６】
また、図４〜図７についての説明も上記第１の実施形態の説明と同一であり、説明を省略する。
第１の実施形態と同様に、図２の周辺機器の接続例の状態で更に図８に示す通りテレビジョン受信装置１００に録画機能を持つＤＶＤレコーダー８０１を接続し、この後上記ＤＶＤレコーダー８０１を外して図９に示す通りチューナー機能を持つケーブルボックス９０１を接続する例について、説明することにする。
【００３７】
テレビジョン受信装置１００にＤＶＤレコーダー８０１を接続すると、ＤＶＤレコーダー８０１が録画機器としての機能を搭載するため論理アドレス１を取得し、ＨＤＭＩ規格  Ｖｅｒ．１．２で定める<Report Physical Address>というコマンドを使って、物理アドレス情報を通知してくる（ステップＳ３０１）。テレビジョン受信装置１００は、この<Report Physical Address>コマンドを受信したら、通知された物理アドレス［２．０．０．０］がアドレスリストに登録された機器の中に既に存在しているかチェックする（ステップＳ３０２）。
【００３８】
もし存在しない場合には、純粋に新規で登録すればよいので、ＤＶＤレコーダー８０１から通知のあった物理アドレスおよびデバイスタイプ、更にはデバイス名が取得できている場合にはデバイス名を論理アドレス１として登録し（ステップＳ３０３）、続けて新しいデバイス番号として未使用の４を論理アドレス１として登録する（ステップＳ３０４）。このときアドレスリストは図１０に示す通り登録される。
【００３９】
次に、ＤＶＤレコーダー８０１をテレビジョン受信装置１００から外して図２に示す接続構成とするが、このときＤＶＤレコーダー８０１からコマンド通知はないため、テレビジョン受信装置１００としては図１０に示すままのアドレスリストを保持している状態になる。
【００４０】
次に、図９に示す通りケーブルボックス９０１を接続すると、ケーブルボックス９０１がチューナーとしての機能を搭載するため論理アドレス６を取得し、<Report Physical Address>というコマンドを使って、物理アドレス情報を通知してくる（ステップＳ３０１）。テレビジョン受信装置１００は、この<Report Physical Address>コマンドを受信したら、通知された物理アドレス［２．０．０．０］がアドレスリストに登録された機器の中に既に存在しているかチェックする（ステップＳ３０２）。
【００４１】
上記した登録により、図１０のアドレスリストに示すように既に物理アドレス［２．０．０．０］は論理アドレス１としてアドレスリストに登録されているので、この論理アドレスがまだ有効であるかをポーリングで問い合わせする（ステップＳ３０５）。このポーリングに対する応答があったかを確認するのであるが（ステップＳ３０６）、この判定のためには３０５のポーリングを５回繰り返す等も含む。
【００４２】
ここではＤＶＤレコーダー８０１は既に外されており、ＤＶＤレコーダー８０１から応答が得られないため、論理アドレス１は無効で、ＤＶＤレコーダー８０１は外されたと判定し、論理アドレス１の情報を削除する（ステップＳ３０９）。
【００４３】
続けてケーブルボックス９０１から通知のあった物理アドレスおよびデバイスタイプ、更にはデバイス名が取得できている場合にはデバイス名を論理アドレス６として登録し（ステップＳ３０３）、続けてデバイス番号として論理アドレス１と同じ４を論理アドレス６として登録する（ステップＳ３０４）。このときアドレスリストは図１１に示す通り登録される。
【００４４】
このようにして、ＤＶＤレコーダー８０１の情報をただちに削除することができるので、ユーザーは、ＤＶＤレコーダー８０１は外されて存在しなくなり更にケーブルボックス９０１が追加されたことを認識することができる。
【００４５】
以上説明したとおり、本発明によれば、ＨＤＭＩ接続から外された機器についてアドレスリストから削除しつつ、１台で複数の機能登録がされるような多機能機器を考慮したアドレスリストの更新をすることができる。
【００４６】
実施形態中では、ステップＳ３０５によるポーリングに対する応答があったかを確認し、ＨＤＭＩ接続から外された機器について削除することにより、ＨＤＭＩ接続から外された機器をいち早く認識して削除することができる。
【００４７】
（第３の実施形態）
第３の実施形態のシステムは上記第１の実施形態で説明した説明文および図１および図７と共通であるとし、説明を省略する。
図１２は、テレビジョン受信装置１００でダイレクトにＣＥＣ機器に入力切替をするためにアドレスリストに登録済みのデバイス名の一覧をメニュー表示する機能（以下、ＨＤＭＩ入力拡張切替と記す）を、第１の実施形態の多機能ＣＥＣ機器があることを判定した上で表示させるフローチャートである。ＨＤＭＩ入力拡張切替の画面例としては図１３に示すようなものが考えられる。このフローチャートについて、第１の実施形態の多機能ＨＤＤレコーダー６０１を含め図１３に示す通り画面表示する方法を、順に説明する。
【００４８】
まず、最初にテレビジョン受信装置１００のリモコン１１２でＨＤＭＩ入力拡張切替のメニューを呼び出すボタンが押下された状態とする。
ＨＤＭＩ入力拡張切替のメニュー表示のために上記ＲＡＭ１０９あるいはＲＯＭ１１０に格納されたアドレスリスト図７のデバイス番号について、１からたどることにする（ステップＳ１２０１）。
【００４９】
デバイス番号１の機器は登録されているかアドレスリストをチェックする（ステップＳ１２０２）。
この例では論理アドレス５のＡＶアンプが該当するのであるが、他に同じデバイス番号の論理アドレスが存在するかをチェックする（ステップＳ１２０３）。
この例では論理アドレス５のＡＶアンプのみなので、この論理アドレス５の（ステップＳ１２０４）デバイス名“ＡＶ  Ａｍｐｌｉｆｉｅｒ”をＨＤＭＩ入力拡張切替に表示する（ステップＳ１２０５）。
【００５０】
続いて、デバイス番号２の機器は登録されているかアドレスリストをチェックする（ステップＳ１２０２）。
この例では論理アドレス３のチューナーが該当するのであるが、他に同じデバイス番号の論理アドレスが存在するかをチェックする（ステップＳ１２０３）。
この例では論理アドレス３のチューナーのみなので、この論理アドレス３の（ステップＳ１２０４）デバイス名“Ｓａｔｅｌｌｉｔｅ  ＳＴＢ”をＨＤＭＩ入力拡張切替に表示する（ステップＳ１２０５）。続いて、デバイス番号３の機器は登録されているかアドレスリストをチェックする（ステップＳ１２０２）。この例では論理アドレス４の再生機器が該当するのであるが、他に同じデバイス番号の論理アドレスが存在するかをチェックする（ステップＳ１２０３）。
【００５１】
この例では論理アドレス４の再生機器のみなので、この論理アドレス４の（ステップＳ１２０４）デバイス名“ＤＶＤ Ｐｌａｙｅｒ”をＨＤＭＩ入力拡張切替に表示する（ステップＳ１２０５）。
【００５２】
続いて、デバイス番号４の機器は登録されているかアドレスリストをチェックする（ステップＳ１２０２）。
この例では論理アドレス１の録画機器が該当するのであるが、他に同じデバイス番号の論理アドレスが存在するかをチェックする（ステップＳ１２０３）。
この例では論理アドレス１の録画機器以外に、論理アドレス６のチューナーおよび論理アドレス８の再生機器が該当するので、多機能機器である。
次に、このデバイス番号４に再生機器があるかをチェックする（ステップＳ１２０６）。
この例では、論理アドレス８の再生機器が該当するので、この論理アドレス８の（ステップＳ１２０７）デバイス名“Ｔｏｓｈｉｂａ  ＨＤＤ Ｒｅｃｏｒｄｅｒ”をＨＤＭＩ入力拡張切替に表示する（ステップＳ１２０５）。
【００５３】
もし再生機器がなかった場合には、同様に録画機器についてチェックし（ステップＳ１２０８）あれば表示し（ステップＳ１２０９）、もし録画機器がなかった場合には、同様にチューナーについてチェックし（ステップＳ１２１０）あれば表示し（ステップＳ１２１１）、もしチューナーがなかった場合には、同様にＡＶアンプについてチェックし（ステップＳ１２１２）あれば表示し（ステップＳ１２１３）なければその他機器として表示する（ステップＳ１２１４）。
【００５４】
続いて、デバイス番号５の機器は登録されているかアドレスリストをチェックする（ステップＳ１２０２）。この例ではデバイス番号５の機器は存在しないので、ＨＤＭＩ入力拡張切替の表示を完了する。
【００５５】
このようにして、アドレスリストから単純に登録された論理アドレス分全て表示するのではなく、デバイス番号分で表示することにより、重複表示を避け、実際の接続機器数分の表示が可能となる。
【００５６】
更に、無駄に重複して表示あるいは制御することを防ぐことによってユーザーへの理解の容易さ、表示の簡素化、機器の誤動作防止、ＣＥＣ制御ラインの通信負荷軽減に貢献する
【００５７】
（第４の実施形態）
第４の実施形態のシステムは上記第１の実施形態で説明した説明文および図１および図７と共通であるとし、説明を省略する。
図１４は、テレビジョン受信装置１００で映像出力している入力情報の画面表示するための機能（以下、チャンネルバナー表示と記す）を、第１の実施形態の多機能ＣＥＣ機器があることを判定した上で表示させるフローチャートである。チャンネルバナー表示の画面例としては図１５のようなものが考えられる。このフローチャートについて、第１の実施形態の多機能ＨＤＤレコーダー６０１を入力として選択した状態で図１５に示す通り画面表示する方法を、順に説明する。
【００５８】
まず、最初にテレビジョン受信装置１００のリモコン１１２でチャンネルバナー表示を呼び出すようなボタンが押された状態とする。表示のために上記ＲＡＭ１０９あるいはＲＯＭ１１０に格納されたアドレスリスト図７のデバイス番号について、選択された入力である多機能ＨＤＤレコーダー６０１のデバイス番号４について（ステップＳ１４０１）、同じデバイス番号の論理アドレスが複数存在するかをチェックする（ステップＳ１４０２）。
【００５９】
もし該当する論理アドレスが１つだけの場合には、その論理アドレスについて（ステップＳ１４０３）デバイス名をチャンネルバナーに表示する（ステップＳ１４０４）。
【００６０】
この例では論理アドレス１の録画機器以外に、論理アドレス６のチューナーおよび論理アドレス８の再生機器が該当するので、多機能機器である。
次に、このデバイス番号４に再生機器があるかをチェックする（ステップＳ１４０５）。
この例では、論理アドレス８の再生機器が該当するので、この論理アドレス８の（ステップＳ１４０６）デバイス名“Ｔｏｓｈｉｂａ  ＨＤＤ Ｒｅｃｏｒｄｅｒ”をチャンネルバナーに表示する（ステップＳ１４０４）。
【００６１】
もし再生機器がなかった場合には、同様に録画機器についてチェックし（ステップＳ１４０７）あれば表示し（ステップＳ１４０８）、もし録画機器がなかった場合には、同様にチューナーについてチェックし（ステップＳ１４０９）あれば表示し（ステップＳ１４１０）、もしチューナーがなかった場合には、同様にＡＶアンプについてチェックし（ステップＳ１４１１）あれば表示し（ステップＳ１４１２）なければその他機器として表示する（ステップＳ１４１３）。
【００６２】
このようにして、デバイス名が、同じデバイス番号で複数登録されている場合でも、優先度をもって選択することによりデバイス名を１つだけ表示することが可能となる。
【００６３】
（第５の実施形態）
第５の実施形態のシステムは上記第１の実施形態で説明した説明文および図１および図７と共通であるとし、説明を省略する。
図１６は、テレビジョン受信装置１００のリモコン１１２で接続機器のリモコンをあたかも押しているかのように制御させる機能（以下、リモコンパススルー機能と記す）を、第１の実施形態の多機能ＣＥＣ機器があることを判定した上で実行させるフローチャートである。リモコンパススルー機能を実行するための画面例としては図１７のようなものが考えられる。このフローチャートについて、第１の実施形態の多機能ＨＤＤレコーダー６０１を入力として選択した状態で図１７のボタン操作でリモコンパススルー機能を実行する方法を、順に説明する。
【００６４】
まず、最初にテレビジョン受信装置１００のリモコン１１２で図１７のような操作画面が表示され、リモコンパススルー機能が使用できる状態とする。リモコンパススルー機能を実行するために上記ＲＡＭ１０９あるいはＲＯＭ１１０に格納されたアドレスリスト図７のデバイス番号について、選択された入力である多機能ＨＤＤレコーダー６０１のデバイス番号４について（ステップＳ１６０１）、同じデバイス番号の論理アドレスが複数存在するかをチェックする（ステップＳ１６０２）。
【００６５】
もし該当する論理アドレスが１つだけの場合には、その論理アドレスに対して（ステップＳ１６０３）リモコンパススルーコマンドを前記１１４ｂＣＥＣ制御ラインに送信する（ステップＳ１６０４）。
【００６６】
なお、リモコンパススルーコマンドとは、ＨＤＭＩ規格  Ｖｅｒ．１．２で定める<User Control Pressed>および<User Control Released>というコマンドが該当する。この例では論理アドレス１の録画機器以外に、論理アドレス６のチューナーおよび論理アドレス８の再生機器が該当するので、多機能機器である。
【００６７】
次に、このデバイス番号４に再生機器があるかをチェックする（ステップＳ１６０５）。
この例では、論理アドレス８の再生機器が該当するので、この論理アドレス８に対して（ステップＳ１６０６）リモコンパススルーコマンドを送信する（ステップＳ１６０４）。
【００６８】
もし再生機器がなかった場合には、同様に録画機器についてチェックし（ステップＳ１６０７）あれば送信し（ステップＳ１６０８）、もし録画機器がなかった場合には、同様にチューナーについてチェックし（ステップＳ１６０９）あれば送信し（ステップＳ１６１０）、もしチューナーがなかった場合には、同様にＡＶアンプについてチェックし（ステップＳ１６１１）あれば送信し（ステップＳ１６１２）なければその他機器に対して送信する（ステップＳ１６１３）。
【００６９】
このようにして、アドレスリストから入力で選択された物理アドレスに該当する論理アドレス全てについてリモコンパススルーコマンドを送信するのではなく、論理アドレス１つに送信することにより、従来送信が重複してしまい機器側の制御が重くなっていたのを防ぐことができる他、ＣＥＣ制御ラインの通信を軽くすることが可能となるという効果がある。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００７１】
【図１】第１の実施形態に係る、ＨＤＭＩ−ＣＥＣ機能を搭載するテレビジョン受信装置１００のシステムを概略的に示したブロック図。
【図２】テレビジョン受信装置１００のシステムにＨＤＭＩケーブルを使って周辺機器を接続したときの接続例を示す図。
【図３】多機能機器を検出する方法を示したフローチャート。
【図４】接続機器に割り当てられている論理アドレスを示す図。
【図５】アドレスリストに登録されている周辺機器の情報（管理データテーブル）を示す図。
【図６】図２の接続例において、テレビジョン受信装置１００に多機能ＨＤＤレコーダー６０１を接続した接続例を示す図。
【図７】アドレスリストを示す図。
【図８】第２の実施形態に係る、テレビジョン受信装置１００のシステムにＨＤＭＩケーブルを使って周辺機器を接続したときの接続例を示す図。
【図９】図８の接続例において、テレビジョン受信装置１００に接続されているＨＤＤレコーダー８０１に代え、ケーブルボックス９０１を接続した接続例を示す図。
【図１０】アドレスリストを示す図（ＨＤＤレコーダー８０１が取り外された後）。
【図１１】アドレスリストを示す図（ケーブルボックス９０１を接続した後）。
【図１２】第３の実施形態に係る、テレビジョン受信装置１００でダイレクトにＣＥＣ機器に入力切替をするためにアドレスリストに登録済みのデバイス名の一覧をメニュー表示する機能（ＨＤＭＩ入力拡張切替）を、第１の実施形態の多機能ＣＥＣ機器があることを判定した上で表示させるフローチャート。
【図１３】ＨＤＭＩ入力拡張切替の画面例を示す図。
【図１４】第４の実施形態に係る、テレビジョン受信装置１００で映像出力している入力情報の画面表示するための機能（チャンネルバナー表示）を、第１の実施形態の多機能ＣＥＣ機器があることを判定した上で表示させるフローチャート。
【図１５】チャンネルバナー表示の画面例を示す図。
【図１６】第５の実施形態に係る、テレビジョン受信装置１００のリモコン１１２で接続機器のリモコンをあたかも押しているかのように制御させる機能（リモコンパススルー機能）を、第１の実施形態の多機能ＣＥＣ機器があることを判定した上で実行させるフローチャート。
【図１７】リモコンパススルー機能を実行するための画面例を示す図。
【符号の説明】
【００７２】
１０１…アンテナ、１０２チューナー、１０３信号処理部、１０４…映像処理部、１０５…表示処理部、１０６…ディスプレイ表示部、１０７…通信ライン、１０８…ＣＰＵ、１０９…ＲＡＭ（Random Access Memory）、１１０…ＲＯＭ（Read Only Memory）、１１１…キーボード、１１２…リモコン、１１３…赤外線受光部、１１４…ＨＤＭＩケーブル、１１４ａ…信号ライン、１１４ｂ…ＣＥＣ制御ライン、１１５…ＨＤＭＩ受信部、２００…ＡＶアンプ、２０１…セット・トップ・ボックス（ＳＴＢ）、２０２…ＤＶＤプレイヤー、６０１…多機能ＨＤＤレコーダー、８０１…ＨＤＤレコーダー、９０１…ケーブルボックス。
【図１】
2009077045.tif 000003
【図２】
2009077045.tif 000004
【図３】
2009077045.tif 000005
【図４】
2009077045.tif 000006
【図５】
2009077045.tif 000007
【図６】
2009077045.tif 000008
【図７】
2009077045.tif 000009
【図８】
2009077045.tif 000010
【図９】
2009077045.tif 000011
【図１０】
2009077045.tif 000012
【図１１】
2009077045.tif 000013
【図１２】
2009077045.tif 000014
【図１３】
2009077045.tif 000015
【図１４】
2009077045.tif 000016
【図１５】
2009077045.tif 000017
【図１６】
2009077045.tif 000018
【図１７】
2009077045.tif 000019